(57)【要約】【課題】  ファクシミリ機能を付加した多機能印刷装置において、ファクシミリ機能により印刷された用紙を識別しやすくする。【解決手段】  ファクシミリ機能を備えた多機能印刷装置であって、複数の給紙手段と、ファクシミリ機能により印刷する印刷用紙を特定の給紙手段から給紙する印刷制御手段とを備えることを特徴とする多機能印刷装置。【選択図】  図１
2006100961.tif 000002
【特許請求の範囲】
【請求項１】
ファクシミリ機能を備えた多機能印刷装置であって、
複数の給紙手段と、
ファクシミリ機能により印刷する印刷用紙を特定の給紙手段から給紙する印刷制御手段とを備えることを特徴とする多機能印刷装置。
【請求項２】
請求項１に記載の多機能印刷装置であって、
前記印刷制御手段は、ファクシミリ機能以外の機能により印刷する印刷用紙は、前記特定の給紙手段以外の給紙手段から給紙することを特徴とする多機能印刷装置。
【請求項３】
請求項１に記載の多機能印刷装置であって、
前記特定の給紙手段は、他の給紙手段と用紙向きが異なることを特徴とする多機能印刷装置。
【請求項４】
請求項３に記載の多機能印刷装置であって、
印刷制御手段は、前記複数の給紙手段のいずれかを前記特定の給紙手段として設定可能であることを特徴とする多機能印刷装置。
【発明の詳細な説明】
【技術分野】
【０００１】
本発明は、ファクシミリ機能およびプリンタ機能を備えた多機能印刷装置に関する。
【背景技術】
【０００２】
近年、プリンタにファクシミリ機能、コピー機能等を付加した多機能印刷装置、いわゆる複合機が実用化されている。
【０００３】
このような装置では給排紙機構は共通に用いられるため、排紙口が１つの場合には、それぞれの機能により印刷された用紙が区分けされることなく排紙される。
【０００４】
なお、印刷装置から出力された印刷用紙をジョブ毎に区分けする技術としては、特許文献１に、ジョブの最初または最後の印刷用紙のフェースアップ面に識別情報を印刷することが開示されている。
【０００５】
【特許文献１】特開平１１−１４７３４９号公報
【発明の開示】
【発明が解決しようとする課題】
【０００６】
複合機が備えるプリンタ機能、ファクシミリ機能、コピー機能のうち、ホストコンピュータから印刷を実行するプリンタ機能および原稿台から読み取った画像を印刷させるコピー機能は、ユーザが主体的に印刷させる機能であるため、これらの機能により印刷された用紙は、ユーザが印刷したことを忘れない限り、排紙口に他の印刷用紙が溜まっていたとしても気づかれずに放置されることはない。
【０００７】
ところが、ファクシミリ機能により印刷された用紙はファクシミリ送信元の処理に基づくものであるため、他の印刷用紙に紛れて受信側が気づかずに放置されてしまうおそれがある。
【０００８】
本発明は、ファクシミリ機能を備えた多機能印刷装置において、ファクシミリ機能により印刷された用紙を識別しやすくすることを目的とする。
【課題を解決するための手段】
【０００９】
上記課題を解決するための本発明によれば、
ファクシミリ機能を備えた多機能印刷装置であって、
複数の給紙手段と、
ファクシミリ機能により印刷する印刷用紙を特定の給紙手段から給紙する印刷制御手段とを備えることを特徴とする多機能印刷装置が提供される。
【００１０】
ファクシミリ機能により印刷する印刷用紙が給紙される特定の給紙手段と他の給紙手段とで用紙の種類を変えることができるようになり、ファクシミリ機能により印刷された用紙を簡易に識別することができる。
【００１１】
ここで、前記印刷制御手段は、ファクシミリ機能以外の機能により印刷する印刷用紙は、前記特定の給紙手段以外の給紙手段から給紙するようにする。
【００１２】
また、前記特定の給紙手段は、他の給紙手段と用紙向きが異なるようにしてもよい。
【００１３】
ファクシミリ機能により印刷された印刷用紙と、ファクシミリ機能以外により印刷された印刷用紙とで、排紙の際の用紙向きが異なるため、ファクシミリ機能により印刷された用紙を簡易に識別することができる。
【００１４】
このとき、印刷制御手段は、前記複数の給紙手段のいずれかを前記特定の給紙手段として設定可能とすることができる。
【発明を実施するための最良の形態】
【００１５】
本発明の実施の形態について図面を参照して説明する。
【００１６】
図１は、本発明を適用可能な複合機の構成の概要を説明するためのブロック図である。複合機１は、プリンタにファクシミリ機能、コピー機能を付加した多機能印刷装置である。
【００１７】
本図に示すように、複合機１は、ＣＰＵ、ＲＡＭ、ＲＯＭ等を備え複合機１の各処理を制御する制御部１０と、ユーザからの指示を受け付けたり、複合機１の状態等を表示するためのユーザインタフェース部２０と、印刷を行なうプリンタ部３０と、公衆電話網等を介して他のＦａｘ装置とのファクシミリの送受信を行なうＦａｘ部４０と、原稿台に置かれた原稿から反射光を読み取って画像データに変換するスキャナ部５０とを備えて構成される。ただし、複合機１の構成はこれに限られない。
【００１８】
プリンタ部３０は、複合機１にローカルまたはネットワーク等を介して接続されたホストコンピュータが出力した印刷データ、Ｆａｘ部４０が受信したファクシミリデータ、スキャナ部５０が取得した画像データ等に基づいて印刷を行なうことができる。
【００１９】
プリンタ部３０は、カラーレーザプリンタで構成することができる。カラーレーザプリンタは、筐体内にトナーを収容したトナーカートリッジを、黒、シアン、マゼンタ、イエローの４色分備え、これらのトナーを印刷用紙等の印刷媒体に転写することでカラー印刷を行なう。ただし、プリンタ部３０は、インクジェット方式等のカラープリンタで構成してもよい。
【００２０】
上記構成による本発明の第１の実施例について説明する。図２は、第１の実施例におけるプリンタ部３０の構成を示すブロック図である。
【００２１】
本図に示すように、プリンタ部３０は、Ｆａｘ部４０からのファクシミリデータを受信するＦａｘデータ受信部３１０と、ホストコンピュータおよびスキャナ部５０からの印刷データを受信する印刷データ受信部３２０と、受信したファクシミリデータ、印刷データに基づく印刷処理を制御する印刷制御部３３０と、プリンタ部３０にセットされた印刷用紙の給紙を行なう給紙機構３４０と、給紙された印刷用紙に対する印字処理を行なう印刷機構３５０と、印刷済みの印刷用紙を排出する排紙機構３６０とを備えて構成される。
【００２２】
本実施例において、給紙機構３４０は、用紙反転機構３４１を備えている。用紙反転機構３４１は、印刷済みの印刷用紙を反転して、裏面に印刷できるように再度給紙する機構である。用紙反転機構３４１を備えているため、プリンタ部３０は、両面印刷が可能となっている。
【００２３】
また、排紙機構３６０は、単一の排紙口３６１を備えている。すなわち、本実施例において排紙口は１つである。排紙機構は、一般に、片面印刷の場合に印刷面が下向きに排紙されるフェイスダウン方式と上向きに排紙されるフェイスアップ方式とに区別することができる。
【００２４】
本発明はいずれの方式にも適用することができるが、本実施例では、フェイスダウン方式を採用しているものとして説明する。
【００２５】
第１の実施例のプリンタ部３０の処理について図３のフロー図を参照して説明する。
【００２６】
プリンタ部３０は、印刷用のデータを受信すると（Ｓ１０１）、そのデータがファクシミリデータかどうかを判断する（Ｓ１０２）。
【００２７】
その結果、ファクシミリデータでない場合（Ｓ１０２：Ｎ）には、そのまま印刷を実行する（Ｓ１０５）。そして、印刷済みの印刷用紙は、フェイスダウン、すなわち、印刷面を下にして排紙口３６１に排紙される。
【００２８】
一方、ファクシミリデータの場合（Ｓ１０２：Ｙ）には、受信したデータを印刷制御部３３０が加工する（Ｓ１０３）。ここで、受信データの加工は、ファクシミリデータの各ページの間に識別マークを印刷するためのページを挿入するようにする。
【００２９】
すなわち、受信したファクシミリデータがＭページ分のデータであったとすると、Ｎページ目を（２Ｎ−１）ページとして、Ｎページ目を識別マークページとする加工をＮ＝１からＭまで行なう。
【００３０】
ここで、識別マークページは、例えば、識別マークとして「ＦＡＸ」という文字を所定の態様で配置、例えば、中央に大きく配置、全面に複数配置等したページとすることができる。また、識別マークページは、識別マークをカラーで印刷することにより、より識別しやすくするようにしてもよい。さらには、ファクシミリの受信ジョブ毎に識別マークの色を変えて、ファクシミリ印刷の管理をしやすくするようにしてもよい。
【００３１】
そして、両面印刷の設定を行ない（Ｓ１０４）、印刷を実行する（Ｓ１０５）。すると、ファクシミリデータによる印刷面は下向きなり、識別マークが印刷された面（識別面）は上向きに排紙される。
【００３２】
図５は、排紙後の様子を示す図である。本図は、ホストコンピュータからの印刷データを印刷した３枚のプリンタ印刷、ファクシミリデータを印刷した１枚のＦａｘ印刷、スキャナ部５０からの画像データを印刷した１枚のコピー印刷の排紙結果を横から見たイメージを示している。
【００３３】
本図に示すように、いずれの排紙結果も印刷面が下を向いた状態で重なっているが、Ｆａｘ印刷は、識別マークが印刷された面が上向きとなる。このため、一目でＦａｘ印刷を識別することができる。
【００３４】
なお、排紙機構３６０がフェイスアップ方式を採用している場合には、いずれの排紙結果も印刷面が上を向いた状態となるが、Ｆａｘ印刷は、さらに下向きに識別マークが印刷されている。この場合、排紙された用紙を裏返すことで、Ｆａｘ印刷を容易に識別することができる。
【００３５】
次に、本発明の第２の実施例について説明する。第２の実施例についても、プリンタ部３０は、図２に示した構成とすることができる。
【００３６】
第２の実施例のプリンタ部３０の処理について図４のフロー図を参照して説明する。
【００３７】
プリンタ部３０は、印刷用のデータを受信すると（Ｓ２０１）、そのデータがファクシミリデータかどうかを判断する（Ｓ２０２）。
【００３８】
その結果、ファクシミリデータでない場合（Ｓ２０２：Ｎ）には、そのまま印刷を実行する（Ｓ２０５）。そして、印刷済みの印刷用紙は、フェイスダウン、すなわち、印刷面を下にして排紙口３６１に排紙される。
【００３９】
一方、ファクシミリデータの場合（Ｓ２０２：Ｙ）には、受信したデータを印刷制御部３３０が加工する（Ｓ２０３）。ここで、受信データの加工は、１ページ目に白紙データを追加し、以降、ファクシミリデータのページデータと白紙ページとを交互に配置するようにする。
【００４０】
すなわち、受信したファクシミリデータがＭページ分のデータであったとすると、Ｎページ目を２Ｎページとして、（２Ｎ−１）ページ目を白紙ページとする加工をＮ＝１からＭまで行なう。このとき、ファクシミリデータのページデータに実施例１のように識別マークを重畳して印刷するようにしてもよい。この場合、識別マークはファクシミリデータに干渉しないようにカラー、特に、淡い色で印刷したり、印刷領域の端部に印刷することが望ましい。
【００４１】
そして、両面印刷の設定を行ない（Ｓ２０４）、印刷を実行する（Ｓ２０５）。すると、ファクシミリデータの印刷は、印刷面が上向きに排紙される。
【００４２】
図６は、排紙後の様子を示す図である。本図は、ホストコンピュータからの印刷データを印刷した３枚のプリンタ印刷、ファクシミリデータを印刷した１枚のＦａｘ印刷、スキャナ部５０からの画像データを印刷した１枚のコピー印刷の排紙結果を横から見たイメージを示している。
【００４３】
本図に示すように、Ｆａｘ印刷以外の印刷は、印刷面が下を向いた状態で重なっているが、Ｆａｘ印刷は、印刷面が上向きとなる。このため、一目でＦａｘ印刷を識別することができる。さらに、ファクシミリデータと識別マークとを重畳して印刷した場合には、他の印刷に両面印刷が含まれている場合であっても、識別マークを手がかかりとしてＦａｘ印刷を容易に識別することができる。
【００４４】
なお、排紙機構３６０がフェイスアップ方式を採用している場合には、Ｆａｘ印刷以外の印刷は、印刷面が上を向いた状態で重なっているが、Ｆａｘ印刷は、印刷面が下向きとなる。このため、一目でＦａｘ印刷を識別することができる。
【００４５】
つぎに本発明の第３の実施例について説明する。図７は、第３の実施例におけるプリンタ部３０の構成を示すブロック図である。
【００４６】
第３の実施例のプリンタ部３０の構成は、図２に示した第１の実施例におけるプリンタ部３０の構成と給紙機構３４０が異なるのみである。このため、給紙機構３４０について説明する。
【００４７】
本実施例において、給紙機構３４０は、２つの給紙装置、すなわち、第１給紙装置３４２と第２給紙装置３４３を備えている。ただし、給紙機構３４０は３以上の給紙装置を備えるようにしてもよい。
【００４８】
本実施例において、ユーザは、第１給紙装置３４２と第２給紙装置３４３とで異なる印刷用紙をセットしておくようにする。例えば、第１給紙装置３４２には普通紙をセットし、第２給紙装置３４３には色付き用紙をセットするという具合である。あるいは、第２給紙装置３４３に識別マークを付した普通紙をセットするようにしてもよい。
【００４９】
第３の実施例のプリンタ部３０の処理について図８のフロー図を参照して説明する。
【００５０】
プリンタ部３０は、印刷用のデータを受信すると（Ｓ３０１）、そのデータがファクシミリデータかどうかを判断する（Ｓ３０２）。
【００５１】
その結果、ファクシミリデータでない場合（Ｓ３０２：Ｎ）には、第１給紙装置３４２を給紙装置として指定する（Ｓ３０３）。そして、印刷を実行する（Ｓ３０５）。この結果、第１給紙装置３４２にセットされた用紙、例えば、普通紙に印刷が行なわれて排紙口３６１に排紙される。
【００５２】
一方、ファクシミリデータの場合（Ｓ３０２：Ｙ）には、第２給紙装置３４３を給紙装置として指定する（Ｓ３０４）。そして、印刷を実行する（Ｓ３０５）。この結果、第２給紙装置３４３にセットされた用紙、例えば、色付き用紙に印刷が行なわれて排紙口３６１に排紙される。
【００５３】
図１１は、排紙後の様子を示す図である。本図は、ホストコンピュータからの印刷データを印刷した３枚のプリンタ印刷、ファクシミリデータを印刷した１枚のＦａｘ印刷、スキャナ部５０からの画像データを印刷した１枚のコピー印刷の排紙結果を上から見たイメージを示している。
【００５４】
本図に示すように、Ｆａｘ印刷以外の印刷は普通紙に行なわれているが、Ｆａｘ印刷は色付き用紙に行なわれる。このため、一目でＦａｘ印刷を識別することができる。
【００５５】
なお、給紙機構３４０が３以上の給紙装置を備える場合には、そのうちの１つの給紙装置をＦａｘ印刷専用とし、他の給紙装置からの給紙と識別できるような用紙をセットするようにする。
【００５６】
つぎに本発明の第４の実施例について説明する。図９は、第３の実施例におけるプリンタ部３０の構成を示すブロック図である。
【００５７】
第４の実施例のプリンタ部３０の構成は、図２に示した第１の実施例におけるプリンタ部３０の構成と給紙機構３４０が異なるのみである。このため、給紙機構３４０について説明する。
【００５８】
本実施例において、給紙機構３４０は、２つの給紙装置、すなわち、縦置給紙装置３４４と横置給紙装置３４５を備えている。ここで、縦置給紙装置３４４は印刷用紙が縦向きにセットされ、横置給紙装置３４５は印刷用紙が横向きにセットされる給紙装置である。ユーザはこれらの給紙装置にそれぞれ印刷用紙をセットしておく。２つの給紙装置には同じ種類の印刷用紙、例えば、普通紙をセットしておくことができる。
【００５９】
第４の実施例のプリンタ部３０の処理について図１０のフロー図を参照して説明する。
【００６０】
プリンタ部３０は、印刷用のデータを受信すると（Ｓ４０１）、そのデータがファクシミリデータかどうかを判断する（Ｓ４０２）。
【００６１】
その結果、ファクシミリデータでない場合（Ｓ４０２：Ｎ）には、縦置給紙装置３４４を給紙装置として指定する（Ｓ４０３）。そして、印刷を実行する（Ｓ４０５）。この結果、縦置給紙装置３４４にセットされた用紙が縦方向で給紙され、印刷が行なわれて排紙口３６１に排紙される。
【００６２】
一方、ファクシミリデータの場合（Ｓ４０２：Ｙ）には、横置給紙装置３４５を給紙装置として指定する（Ｓ４０４）。そして、印刷を実行する（Ｓ４０５）。この結果、横置給紙装置３４５にセットされた用紙が横方向で給紙され、印刷が行なわれて排紙口３６１に排紙される。なお、この際、印刷制御部３３０は、必要に応じて画像データの縦横変換（９０度回転画像処理）を行なうようにする。
【００６３】
図１２は、排紙後の様子を示す図である。本図は、ホストコンピュータからの印刷データを印刷した３枚のプリンタ印刷、ファクシミリデータを印刷した１枚のＦａｘ印刷、スキャナ部５０からの画像データを印刷した１枚のコピー印刷の排紙結果を上から見たイメージを示している。
【００６４】
本図に示すように、Ｆａｘ印刷以外の印刷は縦向きで排紙されているが、Ｆａｘ印刷は横向きで排紙されている。このため、一目でＦａｘ印刷を識別することができる。
【００６５】
なお、Ｆａｘ印刷を縦置給紙装置３４４とし、Ｆａｘ印刷以外を横置給紙装置３４５とするようにしてもよい。さらには、いずれの給紙装置をＦａｘ印刷専用とするかをユーザが指定できるようにしてもよい。また、給紙装置は３つ以上としてもよい。この場合も、一方の向きの給紙装置をＦａｘ印刷専用とし、他方の向きをその他の印刷用とする。
【図面の簡単な説明】
【００６６】
【図１】複合機の構成を示すブロック図である。
【図２】第１実施例のプリンタ部の構成を示すブロック図である。
【図３】第１実施例のプリンタ部の処理を説明するフロー図である。
【図４】第２実施例のプリンタ部の処理を説明するフロー図である。
【図５】第１実施例の排紙後の様子を示す図である。
【図６】第２実施例の排紙後の様子を示す図である。
【図７】第３実施例のプリンタ部の構成を示すブロック図である。
【図８】第３実施例のプリンタ部の処理を説明するフロー図である。
【図９】第４実施例のプリンタ部の構成を示すブロック図である。
【図１０】第４実施例のプリンタ部の処理を説明するフロー図である。
【図１１】第３実施例の排紙後の様子を示す図である。
【図１２】第４実施例の排紙後の様子を示す図である。
【符号の説明】
【００６７】
１…複合機、１０…制御部、２０…ユーザインタフェース部、３０…プリンタ部、４０…ＦＡＸ部、５０…スキャナ部、３１０…データ受信部、３２０…印刷データ受信部、３３０…印刷制御部、３４０…給紙機構、３４１…用紙反転機構、３４２…第１給紙装置、３４３…第２給紙装置、３４４…縦置給紙装置、３４５…横置給紙装置、３５０…印刷機構、３６０…排紙機構、３６１…単一排紙口
【図１】
2006100961.tif 000003
【図２】
2006100961.tif 000004
【図３】
2006100961.tif 000005
【図４】
2006100961.tif 000006
【図５】
2006100961.tif 000007
【図６】
2006100961.tif 000008
【図７】
2006100961.tif 000009
【図８】
2006100961.tif 000010
【図９】
2006100961.tif 000011
【図１０】
2006100961.tif 000012
【図１１】
2006100961.tif 000013
【図１２】
2006100961.tif 000014